(57)【特許請求の範囲】
【請求項１】
ルーバーの奥側端部に係止可能な爪部と、該爪部に連続する円柱形の基部と、該基部から外周方向に突出した係止凸部とからなるフック部材と、
前記ルーバーの手前側端部と当接可能で、前記フック部材が挿通された貫通孔を有する当接部材と、
前記フック部材の基部に装着され、螺旋条間に前記フック部材の係止凸部が進退可能に嵌め込まれており、且つルーバー側の端部が前記当接部材と当接する物品取付体とからなる
ことを特徴とするルーバーへの物品取付具。
【請求項２】
ルーバーの奥側端部に係止可能な爪部と、該爪部に連続する基部と、該基部から外周方向に突出した係止凸部とからなるフック部材と、
ルーバーの手前側端部と当接可能で、前記フック部材が挿通された貫通孔を有する当接部材と、
前記フック部材の基部が挿入され、且つ内周面に前記フック部材の係止凸部と進退可能に係合する螺旋溝が刻設されたフック部材装着孔を有し、ルーバー側の端部が前記当接部材と当接する物品取付体とからなる、
ことを特徴とするルーバーへの物品取付具。
【発明の詳細な説明】
【０００１】
【発明の属する技術分野】
本発明は、エアコンの吹き出し口のルーバーに物品を取り付けるための取付具に関するものである。
【０００２】
【従来の技術】
自動車のドリンクホルダーをはじめとして、近年ではエアコンの吹き出し口のルーバー（フィン）に物品を取り付けることが多い。
【０００３】
これらはルーバーへの物品取り付けのための取付具を備えており、このようなルーバーへの取付具は各種提案されている。
【０００４】
このような取付具において求められる機能としては次のようなものがある。
(A)ルーバーへの装着や取り外しが容易。
(B)使用中には勝手に外れにくい。
(C)ルーバーを傷つけにくい。
(D)ルーバーの幅が異なっても取り付けることができる。
(E)安価であること。
【０００５】
このような機能を得るために各種改良が重ねられているが、まだ十分ではなく、更なる改良の余地がある。特に従来品の構造は複雑なものが多く、コストを下げるためには更に単純な構造にする必要がある。
【０００６】
【発明が解決しようとする課題】
そこで本発明は、構造がシンプルで、ルーバーへの装着，取り外しが容易で、使用中に外れにくく、ルーバーを傷つけにくく、ルーバーの幅によらず装着可能で、しかも安価なルーバーへの物品取付具を提供することを課題とする。
【０００７】
【課題を解決するための手段】
本発明の請求項１のルーバーへの物品取付具は、ルーバー(10)，(11)の奥側端部に係止可能な爪部(2a)と、該爪部(2a)に連続する円柱形の基部(2b)と、該基部(2b)から外周方向に突出した係止凸部(3a)，(3b)とからなるフック部材(2)と、前記ルーバー(10)，(11)の手前側端部と当接可能で、前記フック部材(2)が挿通された貫通孔(1c)を有する当接部材(1)と、前記フック部材(2)の基部(2b)に装着され、螺旋条(4a)間に前記フック部材(2)の係止凸部(3a)，(3b)が進退可能に嵌め込まれており、且つルーバー(10)，(11)側の端部が前記当接部材(1)と当接する物品取付体(4)とからなることを特徴とするルーバーへの物品取付具。
【０００８】
これによれば、フック部材(2)の基部(2b)に設けられた係止凸部(3a)，(3b)が物品取付具(4)の螺旋条間(4a)と係合しているので、爪部(2a)をルーバー(10)，(11)の奥側端部に引っかけた状態で物品取付具(4)を回すと、係止凸部(3a)，(3b)は螺旋条間(4a)に案内されて移動し、フック部材(2)は物品取付具(4)に螺進されて行く。
【０００９】
フック部材(2)の移動により爪部(2a)の当接部(1)からの突出量が少なくなり、爪部(2a)と当接部(1)との間隔が短くなり、ルーバー(10)，(11)は手前側に位置する当接部(1)と奥側に引っかけられている爪部(2a)により両側から係止される。
【００１０】
物品取付具(4)として市販されているスプリングコイルを用いれば、物品取付具(4)を極めて安価に製造することができ、取付具全体のコストを低くすることができる。
【００１１】
又、柔らかいスプリングコイルを用いれば、ルーバー(10)，(11)に取り付けた物品を自動車の振動やエアコンの風等により振動させて面白みを演出することもできる。
【００１２】
請求項２記載のルーバーへの物品取付具は、ルーバー(10)，(11)の奥側端部に係止可能な爪部(2a)と、該爪部(2a)に連続する基部(2b)と、該基部(2b)から外周方向に突出した係止凸部(3a)，(3b)とからなるフック部材(2)と、ルーバー(10)，(11)の手前側端部と当接可能で、前記フック部材(2)が挿通された貫通孔(1c)を有する当接部材(1)と、前記フック部材(2)の基部(2b)が挿入され、且つ内周面に前記フック部材の係止凸部(3a)，(3b)と進退可能に係合する螺旋溝が刻設されたフック部材装着孔を有し、ルーバー(10)，(11)側の端部が前記当接部材(1)と当接する物品取付体とからなることを特徴とする。
【００１３】
これによれば、フック部材(2)の基部(2b)に設けられた係止凸部(3a)，(3b)が物品取付具の内周面に設けられた螺旋溝と係合しているので、爪部(2a)をルーバー(10)，(11)の奥側端部に引っかけた状態で物品取付具(4)を回すと、係止凸部(3a)，(3b)は螺旋溝に案内されて移動し、フック部材(2)は物品取付具に螺進されて行く。
【００１４】
フック部材(2)の移動により爪部(2a)の当接部(1)からの突出量が少なくなり、爪部(2a)と当接部(1)との間隔が短くなり、ルーバー(10)，(11)は手前側に位置する当接部(1)と奥側に引っかけられている爪部(2a)により両側から係止される。
【００１５】
【発明の実施の形態】
以下、本発明を好適な実施例を用いて説明するが、部品説明、組み立て、使用方法の順に説明する。
【００１６】
［部品説明］
図１及び図２は本実施例を示した図であり、図１は幅の狭いルーバー(10)に取り付けた状態、図２は幅の広いルーバー(11)に取り付けた状態を示している。
【００１７】
尚、本実施例は自動車用エアコンの吹き出し口のルーバーへの取り付けた例を示すが、ルーバーであれば他の機器のルーバーにも取り付けることができ、例えば家庭用エアコンのルーバー等にも取り付けることができる。
【００１８】
(1)はルーバー(10)，(11)の手前側端部と当接する当接部材であり、その当接面(1e)の一部がルーバー(10)，(11)と当接する。但し、物品を取り付けるルーバーの周囲に吹き出し口の枠体がある場合は、ルーバーではなく該枠体と接する場合もある。
【００１９】
本実施例における当接部材(1)の形状は中央部に貫通孔(1c)を有した円錐台に近い形状であり、面積の大きな面が当接面(1e)となっている。但し、当接部材(1)の形状はこれに限定されるものではなく、貫通孔を有し、ルーバー(10)，(11)又は吹き出し口の枠体と当接できる形状であれば他の形状でも良い。
【００２０】
(2)はルーバー(10)，(11)の奥側端部に係止可能な爪部(2a)を有するフック部材である。フック部材(2)は爪部(2a)と一体に設けられた円柱状の基部(2b)を有している。基部(2b)の形状は円柱状が好ましいが、他の形状、例えば楕円柱、多角柱等でも良い。
【００２１】
(4)は螺旋状の溝部(4a)を有した物品取付具であり、その内径はフック部材(2)の基部(2b)の外径ｄ1より若干大きい。
【００２２】
本実施例では物品取付具(4)としてコイルスプリングを用いた。この場合、コイルスプリングの螺旋条間(4a)が螺旋状の溝として機能する。コイルスプリングは市販のものを利用することができるので、コストを低くすることができるというメリットがある。
【００２３】
但し、物品取付具(4)はコイルスプリングに限定されるものではなく、例えば図８に示したように部分的に螺旋状の溝(14a)を有した筒状体(14)でも良い。
【００２４】
更に、「長ナット」のように内周面に螺旋溝が刻設された筒状体等でも良い。材質も金属、合成樹脂、ゴム等が使用できる。
【００２５】
図３はフック部材(2)を示した図である。フック部材(2)の基部(2b)の外径は、コイルスプリング(4)の内径よりも若干小さく、コイルスプリング(4)内に装着することができる。
【００２６】
フック部材(2)の基部(2b)には２本の係止凸部(3a)，(3b)が突出している。係止凸部(3a)は係止凸部(3b)の反対側に突出しており、係止凸部(3a)の端部と係止凸部(3b)の端部との間の距離ｄ2は物品取付具(4)の内径より大きい。
【００２７】
そのため、基部(2b)を物品取付具(4)内に装着すると、係止凸部(3a)，(3b)が物品取付具(4)の溝部(4a)に嵌り込むように係合する。
【００２８】
又、係止凸部(3a)と係止凸部(3b)は同一軸線上にはなく、係止凸部(3a)が爪部(2a)側にコイルの半ピッチ分ずれて配されている。これは溝部(4a)のピッチを考慮したためであり、これにより基部(2b)を物品取付具(4)内に装着した際に係止凸部(3a)と係止凸部(3b)が共にコイルスプリング(4)の螺旋条間(4b)と良好に係合し、螺旋条に沿ってスムーズに移動可能となる。
【００２９】
尚、本実施例では係止凸部を２本のピンとしたが、螺旋条間(4b)に係合可能な凸部であれば形状は問わず、例えば３本以上のピンにしたり、スクリュー状の鍔部を設けても良いし、基部(2b)の外周部全体にボルトの螺子部のように螺子山を設けても良い。
【００３０】
図４は当接部材(1)を当接面(1e)側から見た図であり、(1c)はフック部材(2)が貫通する貫通孔である。貫通孔(1c)の内径は物品取付具(4)の外径ｄ4より若干大きく、物品取付具(4)の一端を挿入可能になっている。
【００３１】
又、貫通孔(1c)の当接面(1e)側には貫通孔内側に向かって突出した鍔部(1d)が設けられている。そのため、貫通孔(1c)の当接面(1e)に面した当接面側開口部(1a)の径は物品取付具(4)の外径ｄ4よりも小さくなっている。
【００３２】
そのため、物品取付具(4)はこの鍔部(1d)と当接し、当接部材(1)を貫通して当接面(1e)側に突出することはできない。
【００３３】
(1b)は鍔部(1d)に形成されたピン通し部であり、当接部材(1)にフック部材(2)を貫通させて装着する際に係止凸部(3a)，(3b)を通すために設けられている。
【００３４】
［組み立て］
組み立てに際しては当接部材(1)の貫通孔(1c)にフック部材(2)を貫通させる。その際、フック部材(2)の基部(2b)を当接面側開口部(1a)から差し入れる。そのとき係止凸部(3a)，(3b)はピン通し部(1b)を通す。
【００３５】
そして、基部(2b)を貫通孔(1c)を通って、当接部材(1)の当接面(1e)と反対の側から突出させる。
【００３６】
次にフック部材(2)の基部(2b)の周囲に物品取付具(4)を取り付ける。物品取付具(4)の溝部(4a)に係止凸部(3b)を係合させ、フック部材(2)を物品取付具(4)に対して右螺子方向に回転させると、フック部材(2)は相対的に物品取付具(4)に螺進していき、次いで係止凸部(3a)も溝部(4a)に係合し、図５に示したような状態となる。尚、両者の位置関係を明確にするために、この図５及び次の図６では当接部材(1)の記載は省略している。
【００３７】
そして、更にフック部材(2)を物品取付具(4)に対して右螺子方向に回転させると、フック部材(2)は物品取付具(4)に更に深く螺進していき図６に示したような状態となる。
【００３８】
反対に図６の状態からフック部材(2)を物品取付具(4)に対して左螺子方向に回転させると、フック部材(2)は物品取付具(4)から螺退していき、図５に示したような浅い螺進状態となる。
【００３９】
このように、フック部材(2)を物品取付具(4)に対して回転させることにより、フック部材(2)と物品取付具(4)の位置関係が変化する。
【００４０】
尚、本実施例では爪部(2a)の最大幅d3が当接面側開口部(1a)の径より若干大きいので、フック部材(2)全体が当接部材(1)の当接面(1e)の反対側に抜け落ちることはない。
【００４１】
物品取付具(4)の当接部材と反対側の端部にはルーバー(10)，(11)に取り付けるべき物品を取り付ける。取り付け方は特に限定されるものではなく、接着、溶着、嵌め込み等各種接合手段により取り付けることができる。
【００４２】
［使用］
使用に際しては、予めフック部材(2)の螺進が浅い状態、すなわちフック部材(2)が当接部材(1)の当接面(1e)から大きく突出した状態にしておき、爪部(2a)をルーバー(10)，(11)の奥側の端部に引っかける。その際、爪部(2a)が下向きになるようにし、取り付けるルーバーの上方から差し入れて引っかけると取り付けの安定性が良い。
【００４３】
爪部(2a)がルーバー(10)，(11)の奥側の端部に引っかった状態で物品取付具(4)を右螺子方向に回転させる。物品取付具(4)に既に物品が取り付けられている場合には、その物品を持って回転させても良い。
【００４４】
物品取付具(4)を回転させても、フック部材(2)は爪部(2a)がルーバー(10)，(11)の奥側の端部に引っかかっているので回転しない。そのため、物品取付具(4)を右螺子方向に回転させると相対的にフック部材(2)が物品取付具(4)に螺進して行くすることになり、爪部(2a)と当接部(1)の当接面(1e)との間隔が狭くなっていく。
【００４５】
そして、右螺子方向の回転を続けると、当接面(1e)がルーバー(10)，(11)の手前側の端部（場合によってはエアコン吹き出し口の枠体）と当接する。幅の狭いルーバー(10)の場合は図１のような状態、幅の広いルーバー(11)の場合は図２のような状態となる。
【００４６】
これによりルーバー(10)，(11)は爪部(2a)と当接面(1e)により両側から係止され、そのままでは外そうとしても爪部(2a)がルーバー(10)，(11)奥側に引っかかっているので外れない。
【００４７】
フック部(2)を押し込んで爪部(2a)の係止を外そうとしても当接部(1)が当たるので爪部(2a)の係止を解除されない。このように物品取付具(4)の回転量を調整することにより、ルーバーの幅を問わず確実に取り付けることができる。
【００４８】
爪部(2a)が外れない状態であればルーバー(10)，(11)は必ずしも挟持される必要はなく、ルーバー(10)，(11)と当接面(1e)又爪部(2a)との間に爪部(2a)が外れない程度の若干の隙間が生じても、取付具は外れない。
【００４９】
物品取付具(4)としてスプリングコイルのようにバネ性を持っているものを使用し、当接面(1e)がルーバー(10)，(11)に当接した後も更に物品取付具(4)を右螺子方向に回転させると、物品取付具(4)が係止凸部(3a)，(3b)と、当接部材(1)の挿入孔底部(1d)との間で圧縮される。
【００５０】
圧縮された物品取付具(4)は爪部(2a)を当接面(1e)側に引き寄せようとするため、爪部(2a)と当接面(1e)との間でルーバー(10)，(11)が挟持され、取付が更に確実となる。
【００５１】
必要なら取付の緩みを防止するために、物品取付具(4)が左螺子方向に回転しないようにするためのストッパーを設けても良い。
【００５２】
ルーバー(10)，(11)から取り外す際には、取り付け時と反対に、物品取付具(4)を左螺子方向に回せばよい。それにより、爪部(2a)と当接面(1e)との間隔が大きくなるので、爪部(2a)をルーバー(10)，(11)の奥側から外すことができる。そして爪部(2a)がルーバー(10)，(11)に引っかからないように手前に引き抜けば取り外しできる。
【００５３】
本発明はこのようにシンプルで安価な構成でありながら、幅の異なるルーバーへの装着，取り外しが容易である。しかも使用中は外れにくく、着脱時にルーバーと強く擦れることも無いのでルーバーを傷つけにくい。
【００５４】
図７は本実施例の使用の一例を示した図であり、ルーバー(11)に芳香剤容器(20)を取り付けている。芳香剤容器(20)は見た目の楽しさを考慮して動物やキャラクターの形にした。芳香剤容器(20)には芳香剤収納室(21)が備えられており、その中に芳香剤(22)が詰め替え可能な状態で収納されている。
【００５５】
物品取付具(4)として柔らかいコイルスプリングを用いれば、車の振動やエアコン吹き出し口からの風によりキャラクター等の形をした芳香剤容器(20)が揺れるので、楽しさを演出することができる。
【００５６】
尚、本発明によりはルーバーに取付可能な物品は芳香剤に限られず、カップホルダー、携帯電話ホルダー、小物ホルダー、小型ランプ、液晶モニター、人形、加湿器、アンテナ、その他各種車内アクセサリー等を取り付けることができる。
【００５７】
重量物等を取り付ける場合には強度を考慮して取付具を２つ以上用いるようにしても良い。
【００５８】
【発明の効果】
以上述べたように本発明により、構造がシンプルでルーバーへの装着，取り外しが容易で、使用中に外れにくく、ルーバーを傷つけにくく、ルーバーの幅によらず装着可能で、しかも安価なルーバーへの物品取付具を提供することができる。
【図面の簡単な説明】
【図１】実施例を示した図（ルーバー幅が狭い場合）。
【図２】実施例を示した図（ルーバー幅が広い場合）。
【図３】フック部材を示した図。
【図４】当接部材を当接面側から見た図。
【図５】フック部材が物品取付具に浅く螺進された状態を説明する図。
【図６】フック部材が物品取付具に深く螺進された状態を説明する図。
【図７】実施例の使用状態の一例を示した図。
【図８】異なる形状の物品取付具を備えた取り付け具を示した図。
【符号の説明】
(1)  当接部材
(1a)  当接面側開口部
(1c)  貫通孔
(1d)  鍔部
(1e)  当接面
(2)  フック部材
(2a)  爪部
(2b)  フック部材の基部
(3a)，(3b)  係止凸部
(4)  物品取付具（実施例ではコイルスプリング）
(4a)  螺旋溝（実施例ではコイルスプリングの螺旋条間）
(10)  ルーバー（幅狭）
(11)  ルーバー（幅広）
(20)  取り付ける物品（実施例では芳香剤容器）
【図１】
0003698607.tif 000002
【図２】
0003698607.tif 000003
【図３】
0003698607.tif 000004
【図４】
0003698607.tif 000005
【図５】
0003698607.tif 000006
【図６】
0003698607.tif 000007
【図７】
0003698607.tif 000008
【図８】
0003698607.tif 000009